(57)【要約】【課題】  ＤＨＣＰで運用するシステムにおいて、リモート局毎にＤＨＣＰサーバを設置しなくても、その運用を行うことが可能なネットワークを提供する。【解決手段】  ルータ１３，２３間の伝送路１００にて通信障害が発生し、バックアップ用システム制御装置２１にて運用する際、ＩＰ電話端末２２−１〜２２−ｎは前回アドレス管理装置１２から取得して保存しているＩＰアドレスを使用することで、バックアップ用システム制御装置２１に接続可能となる。伝送路１００が復旧した際、ＩＰ電話端末２２−１〜２２−ｎは再度アドレス管理装置１２に接続することで、アドレス管理装置１２の制御の下、ＩＰアドレスを使用して運用可能となる。【選択図】      図１
2006217094.tif 000002
【特許請求の範囲】
【請求項１】
複数のネットワーク端末装置と、前記複数のネットワーク端末装置各々を制御するシステム制御装置と、前記複数のネットワーク端末装置各々のＩＰ（Ｉｎｔｅｒｎｅｔ  Ｐｒｏｔｏｃｏｌ）アドレスを管理するアドレス管理装置とを含み、前記システム制御装置と前記アドレス管理装置とが接続される第１の局と、前記システム制御装置が接続される第２の局とからなり、前記複数のネットワーク端末装置各々が前記第１及び第２の局のいずれかの前記システム制御装置に接続して運用されるネットワークであって、
前記アドレス管理装置から取得したＩＰアドレスを保持する保持手段と、前記第１の局と前記第２の局との間の接続に障害が発生した時に前記保持手段のＩＰアドレスを使用して自装置が接続されるシステム制御装置に再登録を行う手段とを前記複数のネットワーク端末装置各々に有することを特徴とするネットワーク。
【請求項２】
前記保持手段は、前記障害が発生する前に前記アドレス管理装置から取得したＩＰアドレスを保持することを特徴とする請求項１記載のネットワーク。
【請求項３】
前記第１の局がメイン局で、前記第２の局がリモート局の場合、前記第２の局のシステム制御装置をバックアップ用システム制御装置としたことを特徴とする請求項１または請求項２記載のネットワーク。
【請求項４】
前記アドレス管理装置は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバであり、前記複数のネットワーク端末装置各々に期限付きのＩＰアドレスを割り当てることを特徴とする請求項３記載のネットワーク。
【請求項５】
前記複数のネットワーク端末装置各々は、前記バックアップ用システム制御装置への登録時に、前記ＤＨＣＰサーバから前記ＩＰアドレスを取得できなかった場合、前記保持手段に保存しておいた前回ＤＨＣＰサーバから取得したＩＰアドレスを端末ＩＰアドレスとして使用することを特徴とする請求項４記載のネットワーク。
【請求項６】
前記複数のネットワーク端末装置各々は、前記保持手段に保存しておいた前回ＤＨＣＰサーバから取得したＩＰアドレスを使用する際、前記ＤＨＣＰサーバが接続される局以外の局のシステム制御装置への接続を行うことを特徴とする請求項５記載のネットワーク。
【請求項７】
前記ネットワーク端末装置は、ＬＡＮ（Ｌｏｃａｌ  Ａｒｅａ  Ｎｅｔｗｏｒｋ）に接続可能なＩＰ電話端末であることを特徴とする請求項１から請求項６のいずれか記載のネットワーク。
【請求項８】
複数のネットワーク端末装置と、前記複数のネットワーク端末装置各々を制御するシステム制御装置と、前記複数のネットワーク端末装置各々のＩＰ（Ｉｎｔｅｒｎｅｔ  Ｐｒｏｔｏｃｏｌ）アドレスを管理するアドレス管理装置とを含み、前記システム制御装置と前記アドレス管理装置とが接続される第１の局と、前記システム制御装置が接続される第２の局とからなり、前記複数のネットワーク端末装置各々が前記第１及び第２の局のいずれかの前記システム制御装置に接続して運用されるネットワークのネットワーク端末装置であって、
前記アドレス管理装置から取得したＩＰアドレスを保持する保持手段と、前記第１の局と前記第２の局との間の接続に障害が発生した時に前記保持手段のＩＰアドレスを使用して自装置が接続されるシステム制御装置に再登録を行う手段とを有することを特徴とするネットワーク端末装置。
【請求項９】
前記保持手段は、前記障害が発生する前に前記アドレス管理装置から取得したＩＰアドレスを保持することを特徴とする請求項８記載のネットワーク端末装置。
【請求項１０】
前記第１の局がメイン局で、前記第２の局がリモート局の場合、前記第２の局のシステム制御装置をバックアップ用システム制御装置としたことを特徴とする請求項８または請求項９記載のネットワーク端末装置。
【請求項１１】
前記アドレス管理装置がＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバであり、前記複数のネットワーク端末装置各々に期限付きのＩＰアドレスを割り当てることを特徴とする請求項１０記載のネットワーク端末装置。
【請求項１２】
前記バックアップ用システム制御装置への登録時に、前記ＤＨＣＰサーバから前記ＩＰアドレスを取得できなかった場合、前記保持手段に保存しておいた前回ＤＨＣＰサーバから取得したＩＰアドレスを端末ＩＰアドレスとして使用することを特徴とする請求項１１記載のネットワーク端末装置。
【請求項１３】
前記保持手段に保存しておいた前回ＤＨＣＰサーバから取得したＩＰアドレスを使用する際、前記ＤＨＣＰサーバが接続される局以外の局のシステム制御装置への接続を行うことを特徴とする請求項１２記載のネットワーク端末装置。
【請求項１４】
ＬＡＮ（Ｌｏｃａｌ  Ａｒｅａ  Ｎｅｔｗｏｒｋ）に接続可能なＩＰ電話端末であることを特徴とする請求項８から請求項１３のいずれか記載のネットワーク端末装置。
【請求項１５】
複数のネットワーク端末装置と、前記複数のネットワーク端末装置各々を制御するシステム制御装置と、前記複数のネットワーク端末装置各々のＩＰ（Ｉｎｔｅｒｎｅｔ  Ｐｒｏｔｏｃｏｌ）アドレスを管理するアドレス管理装置とを含み、前記システム制御装置と前記アドレス管理装置とが接続される第１の局と、前記システム制御装置が接続される第２の局とからなり、前記複数のネットワーク端末装置各々が前記第１及び第２の局のいずれかの前記システム制御装置に接続して運用されるネットワークに用いられるＩＰアドレス管理方法であって、前記複数のネットワーク端末装置各々の側に、前記アドレス管理装置から取得したＩＰアドレスを保持手段に保持しておく処理と、前記第１及び第２の局間の伝送路に障害が発生した時に前記保持手段のＩＰアドレスを使用して前記ネットワーク端末装置が接続されるシステム制御装置に再登録を行う処理とを有することを特徴とするＩＰアドレス管理方法。
【請求項１６】
前記障害が発生する前に前記アドレス管理装置から取得したＩＰアドレスを前記保持手段に保持することを特徴とする請求項１５記載のＩＰアドレス管理方法。
【請求項１７】
前記第１の局がメイン局で、前記第２の局がリモート局の場合、前記第２の局のシステム制御装置をバックアップ用システム制御装置としたことを特徴とする請求項１５または請求項１６記載のＩＰアドレス管理方法。
【請求項１８】
前記アドレス管理装置がＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバであり、前記複数のネットワーク端末装置各々に期限付きのＩＰアドレスを割り当てることを特徴とする請求項１７記載のＩＰアドレス管理方法。
【請求項１９】
前記複数のネットワーク端末装置各々が、前記バックアップ用システム制御装置への登録時に、前記ＤＨＣＰサーバから前記ＩＰアドレスを取得できなかった場合、前記保持手段に保存しておいた前回ＤＨＣＰサーバから取得したＩＰアドレスを端末ＩＰアドレスとして使用することを特徴とする請求項１８記載のＩＰアドレス管理方法。
【請求項２０】
前記複数のネットワーク端末装置各々が、前記保持手段に保存しておいた前回ＤＨＣＰサーバから取得したＩＰアドレスを使用する際、前記ＤＨＣＰサーバが接続される局以外の局のシステム制御装置への接続を行うことを特徴とする請求項１９記載のＩＰアドレス管理方法。
【請求項２１】
前記ネットワーク端末装置は、ＬＡＮ（Ｌｏｃａｌ  Ａｒｅａ  Ｎｅｔｗｏｒｋ）に接続可能なＩＰ電話端末であることを特徴とする請求項１５から請求項２０のいずれか記載のＩＰアドレス管理方法。
【請求項２２】
複数のネットワーク端末装置と、前記複数のネットワーク端末装置各々を制御するシステム制御装置と、前記複数のネットワーク端末装置各々のＩＰ（Ｉｎｔｅｒｎｅｔ  Ｐｒｏｔｏｃｏｌ）アドレスを管理するアドレス管理装置とを含み、前記システム制御装置と前記アドレス管理装置とが接続される第１の局と、前記システム制御装置が接続される第２の局とからなり、前記複数のネットワーク端末装置各々が前記第１及び第２の局のいずれかの前記システム制御装置に接続して運用されるネットワークに用いられるＩＰアドレス管理方法であって、前記複数のネットワーク端末装置各々のコンピュータに、前記アドレス管理装置から取得したＩＰアドレスを保持手段に保持しておく処理と、前記第１及び第２の局間の伝送路に障害が発生した時に前記保持手段のＩＰアドレスを使用して前記ネットワーク端末装置が接続されるシステム制御装置に再登録を行う処理とを実行させるためのプログラム。
【発明の詳細な説明】
【技術分野】
【０００１】
本発明はネットワーク、ネットワーク端末装置及びそれらに用いるＩＰアドレス管理方法に関し、特にＤＨＣＰ（Ｄｙｎａｍｉｃ  Ｈｏｓｔ  Ｃｏｎｆｉｇｕｒａｔｉｏｎ  Ｐｒｏｔｏｃｏｌ：動的ホスト構成プロトコル）を使用したリモート環境におけるＬＡＮ（Ｌｏｃａｌ  Ａｒｅａ  Ｎｅｔｗｏｒｋ）に接続可能なＩＰ電話機からなるシステムに関する。
【背景技術】
【０００２】
従来、上記のＩＰ電話機といったネットワーク端末を含めたネットワークシステムにおいて、バックアップ用のシステム制御装置を使用したネットワークでは、ＤＨＣＰを使用した運用が実行されていない。
【０００３】
ここで、ＤＨＣＰはＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）ネットワークでのホストの設定情報を動的に提供するための仕組みで、ＢＯＯＴＰ（Ｂｏｏｔｓｔｒａｐ  Ｐｒｏｔｏｃｏｌ）に基づいて、ＤＨＣＰサーバからクライアントに対して期限付きのＩＰアドレスを動的に付与することができる（例えば、非特許文献１参照）。
【０００４】
このＤＨＣＰを使用したリモートにおける運用の一例としては、リモートに設置されたユーザ端末装置でも、ＤＨＣＰによってアドレスを取得することができるようにしたシステムがある（例えば、特許文献１参照）。
【０００５】
また、バックアップ用のシステム制御装置を使用した運用の一例としては、バックアップ用交換機を設けることで、障害発生時にも通信端末の運用を行えるようにしたシステムがある（例えば、特許文献２参照）。
【０００６】
【特許文献１】特開２００１−１８９７６１
【特許文献２】特開平１０−１５０４６
【非特許文献１】“Ｄｙｎａｍｉｃ  Ｈｏｓｔ  Ｃｏｎｆｉｇｕｒａｔｉｏｎ  Ｐｒｏｔｏｃｏｌ  ３．Ｔｈｅ  Ｃｌｉｅｎｔ−Ｓｅｒｖｅｒ  Ｐｒｏｔｏｃｏｌ”［ＲＦＣ（Ｒｅｑｕｅｓｔ  Ｆｏｒ  ｃｏｍｍｅｎｔｓ：２１３１，Ｍａｒｃｈ  １９９７，Ｐａｇｅ１３−２２）
【発明の開示】
【発明が解決しようとする課題】
【０００７】
しかしながら、上述した従来のネットワークでは、ＤＨＣＰクライアント機能が実装された電話端末とＤＨＣＰサーバとの間の伝送路に障害が発生した場合、これまで、電話端末が前回ＤＨＣＰサーバから取得したＩＰアドレスの期限が切れる前にそのＩＰアドレスの期限更新を行うための更新処理が行えなくなるため、使用可能なＩＰアドレス情報がなくなり、バックアップ用に設置したシステム制御装置に接続することができなくなるという問題がある。
【０００８】
そこで、本発明の目的は上記の問題点を解消し、ＤＨＣＰで運用するシステムにおいて、リモート局毎にＤＨＣＰサーバを設置しなくても、その運用を行うことができるネットワーク、ネットワーク端末装置及びそれらに用いるＩＰアドレス管理方法を提供することにある。
【課題を解決するための手段】
【０００９】
本発明によるネットワークは、複数のネットワーク端末装置と、前記複数のネットワーク端末装置各々を制御するシステム制御装置と、前記複数のネットワーク端末装置各々のＩＰ（Ｉｎｔｅｒｎｅｔ  Ｐｒｏｔｏｃｏｌ）アドレスを管理するアドレス管理装置とを含み、前記システム制御装置と前記アドレス管理装置とが接続される第１の局と、前記システム制御装置が接続される第２の局とからなり、前記複数のネットワーク端末装置各々が前記第１及び第２の局のいずれかの前記システム制御装置に接続して運用されるネットワークであって、
前記アドレス管理装置から取得したＩＰアドレスを保持する保持手段と、前記第１及び第２の局間の伝送路に障害が発生した時に前記保持手段のＩＰアドレスを使用して自装置が接続されるシステム制御装置に再登録を行う手段とを前記複数のネットワーク端末装置各々に備えている。
【００１０】
本発明によるネットワーク端末装置は、複数のネットワーク端末装置と、前記複数のネットワーク端末装置各々を制御するシステム制御装置と、前記複数のネットワーク端末装置各々のＩＰ（Ｉｎｔｅｒｎｅｔ  Ｐｒｏｔｏｃｏｌ）アドレスを管理するアドレス管理装置とを含み、前記システム制御装置と前記アドレス管理装置とが接続される第１の局と、前記システム制御装置が接続される第２の局とからなり、前記複数のネットワーク端末装置各々が前記第１及び第２の局のいずれかの前記システム制御装置に接続して運用されるネットワークのネットワーク端末装置であって、
前記アドレス管理装置から取得したＩＰアドレスを保持する保持手段と、前記第１及び第２の局間の伝送路に障害が発生した時に前記保持手段のＩＰアドレスを使用して自装置が接続されるシステム制御装置に再登録を行う手段とを備えている。
【００１１】
本発明によるＩＰアドレス管理方法は、複数のネットワーク端末装置と、前記複数のネットワーク端末装置各々を制御するシステム制御装置と、前記複数のネットワーク端末装置各々のＩＰ（Ｉｎｔｅｒｎｅｔ  Ｐｒｏｔｏｃｏｌ）アドレスを管理するアドレス管理装置とを含み、前記システム制御装置と前記アドレス管理装置とが接続される第１の局と、前記システム制御装置が接続される第２の局とからなり、前記複数のネットワーク端末装置各々が前記第１及び第２の局のいずれかの前記システム制御装置に接続して運用されるネットワークに用いられるＩＰアドレス管理方法であって、前記複数のネットワーク端末装置各々の側に、前記アドレス管理装置から取得したＩＰアドレスを保持手段に保持する処理と、前記第１及び第２の局間の伝送路に障害が発生した時に前記保持手段のＩＰアドレスを使用して前記ネットワーク端末装置が接続されるシステム制御装置に再登録を行う処理とを備えている。
【００１２】
本発明によるＩＰアドレス管理方法のプログラムは、複数のネットワーク端末装置と、前記複数のネットワーク端末装置各々を制御するシステム制御装置と、前記複数のネットワーク端末装置各々のＩＰ（Ｉｎｔｅｒｎｅｔ  Ｐｒｏｔｏｃｏｌ）アドレスを管理するアドレス管理装置とを含み、前記システム制御装置と前記アドレス管理装置とが接続される第１の局と、前記システム制御装置が接続される第２の局とからなり、前記複数のネットワーク端末装置各々が前記第１及び第２の局のいずれかの前記システム制御装置に接続して運用されるネットワークに用いられるＩＰアドレス管理方法であって、前記複数のネットワーク端末装置各々のコンピュータに、前記アドレス管理装置から取得したＩＰアドレスを保持手段に保持しておく処理と、前記第１及び第２の局間の伝送路に障害が発生した時に前記保持手段のＩＰアドレスを使用して前記ネットワーク端末装置が接続されるシステム制御装置に再登録を行う処理とを実行させている。
【００１３】
すなわち、本発明のネットワークは、ＤＨＣＰ（Ｄｙｎａｍｉｃ  Ｈｏｓｔ  Ｃｏｎｆｉｇｕｒａｔｉｏｎ  Ｐｒｏｔｏｃｏｌ：動的ホスト構成プロトコル）を使用したリモート環境でのＬＡＮ（Ｌｏｃａｌ  Ａｒｅａ  Ｎｅｔｗｏｒｋ）に接続可能なＩＰ（Ｉｎｔｅｒｎｅｔ  Ｐｒｏｔｏｃｏｌ）電話端末機能を実現することを特徴とする。
【００１４】
より具体的に説明すると、本発明のネットワークでは、メイン局とリモート局との間の接続に通信障害が発生すると（例えば、メイン局とリモート局との間の伝送路の断）、バックアップ用のシステム制御装置にて運用する際、伝送路での障害発生によってＩＰ電話端末がアドレス管理装置に接続することができず、ＩＰアドレスを取得することができない場合、ＩＰ電話端末において、前回アドレス管理装置から取得したＩＰアドレスを使用することで、バックアップ用のシステム制御装置に接続することが可能となり、リモート局内という閉じたネットワークでの運用が可能となる。
【００１５】
また、本発明のネットワークでは、伝送路が復旧した際に、ＩＰ電話端末が再度アドレス管理装置に接続することで、アドレス管理装置の制御の下で、ＩＰ電話端末がアドレス管理装置からＩＰアドレスを取得することが可能となるので、そのＩＰアドレスを使用してリモート局での運用が可能となる。
【００１６】
上記のように、本発明のネットワークでは、前回アドレス管理装置から取得したＩＰアドレスをＩＰ電話端末に保存しておくことで、メイン局とリモート局との間の接続に障害が発生しても、ＩＰ電話端末が保存しておいたＩＰアドレスを使用してリモート局に配置されたバックアップ用のシステム制御装置に接続することが可能であるので、ＤＨＣＰで運用するシステムにおいて、リモート局毎にＤＨＣＰサーバを設置しなくても運用が可能となる。
【００１７】
ここで、ＤＨＣＰはＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）ネットワークでのホストの設定情報を動的に提供するための仕組みで、ＢＯＯＴＰ（Ｂｏｏｔｓｔｒａｐ  Ｐｒｏｔｏｃｏｌ）に基づいて、ＤＨＣＰサーバからクライアントに対して期限付きのＩＰアドレスを動的に付与することができる。
【００１８】
また、本発明のネットワークでは、メイン局にのみ、期限付きのＩＰアドレスを動的に付与するためのＤＨＣＰサーバを設置すればよいので、１台のＤＨＣＰサーバでメイン局とリモート局との両方のＩＰアドレスを管理することが可能となり、ＩＰアドレスの一元管理が可能となる。
【発明の効果】
【００１９】
本発明は、以下に述べるような構成及び動作とすることで、ＤＨＣＰで運用するシステムにおいて、リモート局毎にＤＨＣＰサーバを設置しなくても、その運用を行うことができるという効果が得られる。
【発明を実施するための最良の形態】
【００２０】
次に、本発明の実施例について図面を参照して説明する。図１は本発明の一実施例によるネットワークの構成を示すブロック図である。図１においては、ＤＨＣＰ（Ｄｙｎａｍｉｃ  Ｈｏｓｔ  Ｃｏｎｆｉｇｕｒａｔｉｏｎ  Ｐｒｏｔｏｃｏｌ：動的ホスト構成プロトコル）で運用するリモート環境におけるＬＡＮ（Ｌｏｃａｌ  Ａｒｅａ  Ｎｅｔｗｏｒｋ）に接続可能なＩＰ電話端末からなるシステムの構成を示している。
【００２１】
図１において、本発明の一実施例によるネットワークはメイン局１とリモート局２とから構成されている。メイン局１はシステム制御装置１１と、アドレス管理装置１２とルータ１３とから構成され、システム制御装置１１とアドレス管理装置１２とルータ１３とは伝送路１０１にて相互に接続されている。
【００２２】
リモート局２はバックアップ用システム制御装置２１と、ＬＡＮに接続可能なＩＰ（Ｉｎｔｅｒｎｅｔ  Ｐｒｏｔｏｃｏｌ）電話端末２２−１〜２２−ｎと、ルータ２３とから構成され、バックアップ用システム制御装置２１とＩＰ電話端末２２−１〜２２−ｎとルータ２３とはＬＡＮ１０２にて相互に接続されている。また、メイン局１とリモート局２とは各々のルータ１３，２３を通して伝送路１００で接続されている。
【００２３】
システム制御装置１１及びバックアップ用システム制御装置２１は、ＩＰ電話端末２２−１〜２２−ｎを制御しており、アドレス管理装置１２はＩＰ電話端末２２−１〜２２−ｎのＩＰアドレスを管理している。また、本発明の一実施例によるネットワークは、ルータ１３，２３を介してメイン局１とリモート局２とに分かれている。システム制御装置１１及びバックアップ用システム制御装置２１としては、例えばＰＢＸ（Ｐｒｉｖａｔｅ  Ｂｒａｎｃｈ  ｅＸｃｈａｎｇｅ）がある。
【００２４】
ルータ１３，２３間（メイン局１とリモート局２との間）の伝送路１００にて通信障害が発生し、バックアップ用システム制御装置２１にてリモート局２を運用する際、ＩＰ電話端末２２−１〜２２−ｎは伝送路１００で通信障害が発生しているため、アドレス管理装置１２に接続することができず、ＩＰアドレスを取得することができない。この場合、ＩＰ電話端末２２−１〜２２−ｎにおいては、前回アドレス管理装置１２から取得して保存しているＩＰアドレスを使用することで、バックアップ用システム制御装置２１に接続することが可能となり、リモート局２での運用が可能となる。
【００２５】
また、伝送路１００が復旧した際には、ＩＰ電話端末２２−１〜２２−ｎが再度アドレス管理装置１２に接続することで、アドレス管理装置１２の制御の下、ＩＰ電話端末２２−１〜２２−ｎがアドレス管理装置１２からＩＰアドレスを取得することが可能となるので、そのＩＰアドレスを使用してリモート局２を運用することが可能となる。
【００２６】
図２は図１のシステム制御装置１１の構成を示すブロック図である。図２において、システム制御装置１１は電話端末制御部１１１と、電話端末データベース部１１２とを備えている。
【００２７】
電話端末制御部１１１はＩＰ電話端末２２−１〜２２−ｎの登録処理や電話制御を行い、登録時にＩＰ電話端末２２−１〜２２−ｎから通知されたＩＰアドレスとそのＩＰ電話端末２２−１〜２２−ｎ用の電話番号とを電話端末データベース部１１２に保管する。尚、図示していないが、バックアップ用システム制御装置２１の構成は、上記のシステム制御装置１１と同様の構成となっている。
【００２８】
図３は図２の電話端末データベース部１１２の構成を示す図である。図３において、電話端末データベース部１１２はＩＰ電話端末２２−１〜２２−ｎがシステム制御装置１１、バックアップ用システム制御装置２１に登録時に通知したＩＰアドレス（「１００．１００．１００．１００」，「１００．１００．１００．１０１」，「１００．１００．１００．１０２」，「１００．１００．１００．１０３」，「１００．１００．１００．１０４」，「１００．１００．１００．１０５」）と、そのＩＰ電話端末２２−１〜２２−ｎ用に割り当てた電話番号の情報（「２００」，「２０１」，「２０２」，「２０３」，「２０４」，「２０５」）とを保管している。
【００２９】
図４は図２のアドレス管理装置１２の構成を示すブロック図である。図４において、アドレス管理装置１２はＤＨＣＰサーバ機能部１２１と、ＩＰアドレスデータベース部１２２とを備えている。ＤＨＣＰサーバ機能部１２１では、後述するＩＰ電話端末２２−１〜２２−ｎが持つＤＨＣＰクライアント制御部２２２からのＩＰアドレス要求に対してＩＰアドレスデータベース部１２２にて未使用ＩＰアドレスを割り当てる。
【００３０】
図５は図４のＩＰアドレスデータベース部１２２の構成を示す図である。図５おいて、ＩＰアドレスデータベース部１２２はアドレス管理装置１２で保有するＩＰアドレス（「１００．１００．１００．１００」，「１００．１００．１００．１０１」，「１００．１００．１００．１０２」，「１００．１００．１００．１０３」，「１００．１００．１００．１０４」，「１００．１００．１００．１０５」，「１００．１００．１００．１０６」，「１００．１００．１００．１０７」）と、それらの割り当て状況（使用状況）（「済」または「未」）と、ＭＡＣ（Ｍｅｄｉａ  Ａｃｃｅｓｓ  Ｃｏｎｔｒｏｌ）アドレス（「ｘｘ−ｘｘ−ｘｘ−００−００−００」，「ｘｘ−ｘｘ−ｘｘ−００−００−０１」，「ｘｘ−ｘｘ−ｘｘ−００−００−０２」，「ｘｘ−ｘｘ−ｘｘ−００−００−０３」，「ｘｘ−ｘｘ−ｘｘ−００−００−０４」，「ｘｘ−ｘｘ−ｘｘ−００−００−０５」）とを保管している。
【００３１】
図６は図１のＩＰ電話端末２２の構成を示すブロック図である。図６において、ＩＰ電話端末２２は呼制御部２２１と、ＤＨＣＰクライアント部２２２と、ＩＰアドレス管理部２２３と、上記の各部の処理を実現するためにＣＰＵ（中央処理装置）（図示せず）が実行するプログラムを格納する記録媒体２２４とを備えている。尚、図示していないが、ＩＰ電話端末２２−１〜２２−ｎ各々は上記のＩＰ電話端末２２と同様の構成となっている。
【００３２】
図７は図６のＩＰアドレス管理部２２３の構成を示す図である。図７において、ＩＰアドレス管理部２２３では、運用する上で使用するＩＰアドレス（「１００．１００．１００．１００」）、アドレス管理装置１２からＤＨＣＰで取得したＩＰアドレス（「１００．１００．１００．１００」）をＲＡＭ（Ｒａｎｄｏｍ  Ａｃｃｅｓｓ  Ｍｅｍｏｒｙ）に保存し、保存用ＤＨＣＰ取得ＩＰアドレス（「１００．１００．１００．１００」）をＦＲＯＭ［Ｆｌａｓｈ  ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）］に保存している。
【００３３】
ＩＰアドレス管理部２２３はシステム管理装置１１またはバックアップ用システム管理装置２１から再登録要求指示を受信し、初期化を実行する際、端末ＩＰアドレスとＤＨＣＰ取得ＩＰアドレスとをクリアし、保存用ＤＨＣＰ取得ＩＰアドレスのみが保存されたままとなる。
【００３４】
図８〜図１１は本発明の一実施例によるネットワークにおけるＩＰアドレス管理の動作を示すシーケンスチャートである。これら図１〜図１１を参照して本発明の一実施例によるネットワークにおけるＩＰアドレス管理の動作について説明する。尚、図８と図１０と図１１とにおけるＩＰ電話端末２２−１〜２２−ｎ各々の処理はＩＰ電話端末２２−１〜２２−ｎ内のＣＰＵが記録媒体２２４のプログラムを実行することで実現される。
【００３５】
システム制御装置１１とアドレス管理装置１２とがメイン局１に、バックアップ用システム制御装置２１とＩＰ電話端末２２−１〜２２−ｎとがリモート局２にそれぞれ接続して運用を開始する際、ＩＰ電話端末２２−１〜２２−ｎはまずアドレス管理装置１２にＤＨＣＰを使用して自端末用ＩＰアドレスを要求する（図８のａ１〜ａ４）。
【００３６】
ＩＰ電話端末２２−１〜２２−ｎはアドレス管理装置１２からＩＰアドレスを取得すると、ＩＰアドレス管理部２２３のＤＨＣＰ取得ＩＰアドレスをＲＡＭに保存した後、端末ＩＰアドレスにもコピーする。また、ＩＰ電話端末２２−１〜２２−ｎはＤＨＣＰ取得ＩＰアドレスをＦＲＯＭの保存用ＤＨＣＰ取得ＩＰアドレスフィールドに保存する（図８のａ６）。この時、アドレス管理装置１２はＩＰアドレスデータベース部１２２を更新する（図８のａ５）。
【００３７】
ＩＰ電話端末２２−１〜２２−ｎはシステム制御装置１１に端末登録要求の通知を行う（図８のａ７）。それを受けたシステム制御装置１１では電話端末データベース部１１２に登録し（図８のａ８）、ＯＫを返信し（図８のａ９）、登録が完了することで、リモート局での運用が開始される。
【００３８】
バックアップ用システム制御装置２１はシステム制御装置１１との間で、電話端末データベース部１１２の情報を共有するため、システム制御装置１１に対して周期的（例えば、１分間隔）にデータベース要求を送信する。要求を受けたシステム制御装置１１はバックアップ用システム制御装置２１に電話端末データベース部１１２のデータを通知する（図９のｂ１，ｂ２，ｂ４，ｂ５）。
【００３９】
バックアップ用システム制御装置２１はシステム制御装置１１からのデータで電話端末データベース部１１２を更新する（図９のｂ３）。これはバックアップ用システム制御装置２１から見て、システム制御装置１１が正常に動作しているかを確認するためのヘルスチェックの役目も果たす。
【００４０】
バックアップ用システム制御装置２１はシステム制御装置１１へのデータベース要求送信後、応答が得られなかった場合、伝送路１００に障害が発生したと判断し（図１０のｃ１，ｃ２）、電話端末データベース部１１２に登録されているＩＰ電話端末２２−１〜２２−ｎに対して再登録要求を通知する（図１０のｃ３）。
【００４１】
通知を受けたＩＰ電話端末２２−１〜２２−ｎは初期化を実施し、端末ＩＰアドレスとＤＨＣＰ取得ＩＰアドレスとをクリアした後、ＤＨＣＰ  Ｄｉｓｃｏｖｅｒを送信し、アドレス管理装置１２へＩＰアドレス要求を行う（図１０のｃ４）。
【００４２】
ＩＰ電話端末２２−１〜２２−ｎは伝送路１００に障害が発生しているために応答が得られないので、例えば４ｓ後、８ｓ後、１６ｓ後、３２ｓ後にそれぞれＤＨＣＰ  Ｄｉｓｃｏｖｅｒを再送し（図１０のｃ４〜ｃ６）、最初の送信から約２分応答を待つ。ＩＰ電話端末２２−１〜２２−ｎは約２分経過しても応答が得られなかった場合、ＩＰアドレス取得失敗と判断する。
【００４３】
ここで、ＩＰ電話端末２２−１〜２２−ｎはバックアップ用システム制御装置２１に接続するため、ＩＰアドレス管理部２２３に保存しておいたＩＰアドレス（前回、アドレス管理装置１２からＤＨＣＰを使用して取得したＩＰアドレス）を使用し、バックアップ用システム制御装置２１に登録要求を送信することで（図１０のｃ７，ｃ８）、バックアップ用システム制御装置２１の電話端末データベース部１１２に登録されるので（図１０のｃ９，ｃ１０）、運用を行うことができる。この間、バックアップ用システム制御装置２１はシステム制御装置１１へデータベース要求を周期的に送信し続ける。
【００４４】
ＩＰ電話端末２２−１〜２２−ｎはアドレス管理装置１２からのＩＰアドレス取得に失敗し、保存しておいた前回取得したＩＰアドレスを使用する場合、システム制御装置１１へは接続要求を行わない。これは、伝送路１００の復旧後、アドレス管理装置１２のみがダウンした状態を継続する事象が発生した場合、システム制御装置１１に登録要求を送信して接続できてしまうと、アドレス管理装置１２が復旧した後、ＩＰアドレスの重複が発生してしまうためである。
【００４５】
また、アドレス管理装置１２でもＩＰアドレスの重複を極力避けるため、ＩＰアドレスをＩＰ電話端末２２−１〜２２−ｎに割り当てる前に、そのＩＰアドレスを使用している端末が伝送路上に存在するかを確認するための信号（例えば、ｐｉｎｇ等）の送信を行ったり、アドレス管理をリモート局毎に行っている。
【００４６】
さらに、バックアップ用システム制御装置２１はあくまでもバックアップ用であるため、システム制御装置１１と接続することができている状態で、ＩＰ電話端末２２−１〜２２−ｎから登録要求があった場合、ＩＰ電話端末２２−１〜２２−ｎの登録を行わず、エラーを返信する。
【００４７】
したがって、システム制御装置１１のみダウンした場合、ＩＰ電話端末２２−１〜２２−ｎはアドレス管理装置１２からＩＰアドレスを取得し、バックアップ用システム制御装置２１に接続して運用を行う。また、メイン局１とリモート局２とを繋ぐ伝送路１００に障害があった場合、ＩＰ電話端末２２−１〜２２−ｎは前回ＤＨＣＰで取得したＩＰアドレスを使用してバックアップ用システム制御装置２１に接続することで、リモート局２での運用が可能となる。
【００４８】
伝送路１００が障害から復旧した後、バックアップ用システム制御装置２１からのデータベース要求に対し、システム制御装置１１から応答があった場合（図１１のｄ１〜ｄ３）、バックアップ用システム制御装置２１は伝送路１００の復旧と判断し、ＩＰ電話端末２２−１〜２２−ｎに対して再登録要求を通知する（図１１のｄ４）。これはシステム制御装置１１への再接続だけでなく、アドレス管理装置１２から再度、ＩＰアドレスを取得し直すことの両方の意味がある。
【００４９】
再登録指示の通知を受けたＩＰ電話端末２２−１〜２２−ｎは初期化後、ＤＨＣＰ  Ｄｉｓｃｏｖｅｒを送信し（図１１のｄ５）、アドレス管理装置１２へＩＰアドレス要求を行う。ＩＰ電話端末２２−１〜２２−ｎはアドレス管理装置１２からＩＰアドレスを取得すると、再度、ＩＰアドレス管理部２２３のＤＨＣＰ取得ＩＰアドレスと端末ＩＰアドレスとをＲＡＭに、保存用ＤＨＣＰ取得ＩＰアドレスをＦＲＯＭに保存した後、端末ＩＰアドレスを使用してシステム制御装置１１に端末登録要求を通知する（図１１のｄ６〜ｄ１０）。
【００５０】
それを受けたシステム制御装置１１では電話端末データベース部１１２に登録し（図１１のｄ１１）、ＯＫを返信し（図１１のｄ１２）、登録が完了することで運用を開始するので、ＩＰ電話端末２２−１〜２２−ｎは、再度、システム制御装置１１の下で運用することが可能となる。
【００５１】
このように、本実施例では、前回アドレス管理装置１２から取得したＩＰアドレスをＩＰ電話端末２２−１〜２２−ｎに保存しておくことで、メイン局１とリモート局２との間の伝送路１００に障害が発生しても、ＩＰ電話端末２２−１〜２２−ｎが、保存しておいたＩＰアドレスを使用してリモート局２にあるバックアップ用システム制御装置２１に接続することができるので、ＤＨＣＰで運用するシステムにおいて、リモート局２毎にＤＨＣＰサーバを設置しなくても、運用を行うことができる。
【００５２】
また、本実施例では、メイン局１にのみＤＨＣＰサーバ（アドレス管理装置１２）を設置すればよいので、１台のＤＨＣＰサーバでメイン局１とリモート局２との両方のＩＰアドレスを管理することができ、ＩＰアドレスの一元管理が可能となる。
【００５３】
図１２は本発明の他の実施例によるネットワークの構成を示すブロック図である。図１２において、本発明の他の実施例によるネットワークでは、上述した本発明の一実施例においてバックアップ用システム制御装置２１をバックアップ用としてではなく、システム制御装置１１と同列として扱うシステム構成となっている。
【００５４】
図１２において、本発明の他の実施例によるネットワークでは、局（＃１）３においてシステム制御装置３１とアドレス管理装置３２とが伝送路３０１にて接続され、局（＃２）４においてシステム管理装置４１とＩＰ端末４２−１〜４２−ｎとがＬＡＮ３０２にて接続されている。ここで、ＩＰ端末４２−１〜４２−ｎはＩＰ電話端末、あるいはＩＰ電話機能を持つＰＣ（パーソナルコンピュータ）やＰＤＡ（Ｐｅｒｓｏｎａｌ  Ｄｉｇｉｔａｌ  Ａｓｓｉｓｔａｎｔ）等の情報処理端末である。
【００５５】
本発明の他の実施例によるネットワークにおいて、ＩＰ端末４２−１〜４２−ｎはシステム制御装置３１，４１のいずれかに接続して運用している。また、システム制御装置３１，４１は端末データベース（図示せず）を共有しており、各ＩＰ端末４２−１〜４２−ｎがどのシステム制御装置３１，４１に接続しているかを認識している。
【００５６】
ルータ３３，４３を介して局（＃１）３と局（＃２）４とを繋ぐ伝送路３００において障害が発生した場合、システム制御装置４１はシステム制御装置３１に接続されていたＩＰ端末に再登録要求を通知し、そのＩＰ端末は前回取得したＩＰアドレスを使用してシステム制御装置４１に接続する。その際、元々システム制御装置４１に接続していたＩＰ端末はそのまま運用を継続するが、システム制御装置３１に接続されていたＩＰ端末はＤＨＣＰによるＩＰアドレスの期限終了後、前回取得したＩＰアドレスを使用してシステム制御装置４１に接続して運用を行う。
【００５７】
局（＃１）３と局（＃２）４とを繋ぐ伝送路３００の復旧後、システム制御装置４１に接続されている全てのＩＰ端末に再登録要求を通知し、ＩＰ端末はアドレス管理装置３２からＩＰアドレスを取得し、システム制御装置３１，３２のいずれかに接続して元の運用に戻る。
【００５８】
このように、本発明は上記のようなバックアップ用システム制御装置を用いずに、同列のシステム制御装置を各ネットワーク（局）に配置して運用するような場合にも適用可能である。
【００５９】
図１３は本発明の別の実施例によるネットワークの構成を示すブロック図である。図１３において、本発明の別の実施例によるネットワークでは、メイン局５においてネットワーク端末６２−１〜６２−ｎを制御する制御サーバ（ＮＳ）５１と、アドレス管理装置（ＤＨＣＰサーバ機能を持つ）５２とが伝送路５０１にて接続され、リモート局６においてバックアップ用制御サーバ（ＮＳ）６１と、ネットワーク端末（ＮＣ）６２−１〜６２−ｎとがＬＡＮ５０２にて接続されている。
【００６０】
本発明の別の実施例によるネットワークにおいて、ルータ５３，６３を介してメイン局５とリモート局６とを繋ぐネットワーク５００に障害が発生した際、ネットワーク端末（ＮＣ）６２−１〜６２−ｎは前回アドレス管理装置５２から取得したＩＰアドレスを使用してバックアップ用制御サーバ（ＮＳ）６１に接続して運用を行う。
【００６１】
このように、本発明は上記のようなメイン局５の制御サーバ（ＮＳ）５１及びリモート局６のバックアップ用制御サーバ（ＮＳ）６１に接続されるネットワーク端末（ＮＣ）６２−１〜６２−ｎにも適用可能である。
【図面の簡単な説明】
【００６２】
【図１】本発明の一実施例によるネットワークの構成を示すブロック図である。
【図２】図１のシステム制御装置の構成を示すブロック図である。
【図３】図２の電話端末データベース部の構成を示す図である。
【図４】図２のアドレス管理装置の構成を示すブロック図である。
【図５】図４のＩＰアドレスデータベース部の構成を示す図である。
【図６】図１のＩＰ電話端末の構成を示すブロック図である。
【図７】図６のＩＰアドレス管理部の構成を示す図である。
【図８】本発明の一実施例によるネットワークにおけるＩＰアドレス管理の動作を示すシーケンスチャートである。
【図９】本発明の一実施例によるネットワークにおけるＩＰアドレス管理の動作を示すシーケンスチャートである。
【図１０】本発明の一実施例によるネットワークにおけるＩＰアドレス管理の動作を示すシーケンスチャートである。
【図１１】本発明の一実施例によるネットワークにおけるＩＰアドレス管理の動作を示すシーケンスチャートである。
【図１２】本発明の他の実施例によるネットワークの構成を示すブロック図である。
【図１３】本発明の別の実施例によるネットワークの構成を示すブロック図である。
【符号の説明】
【００６３】
１，５  メイン局
２，６  リモート局
３  局＃１
４  局＃２
１１，３１，４１  システム制御装置
１２，３２  アドレス管理装置
１３，２３，３３，４３，
５３，６３  ルータ
２１  バックアップ用システム制御装置
２２−１〜２２−ｎ  ＩＰ電話端末
４２−１〜４２−ｎ  ＩＰ端末
５１  制御サーバ
５２  ＤＨＣＰサーバ
６１  バックアップ用制御サーバ
６２−１〜６２−ｎ  ネットワーク端末
１００，１０１，３００，
３０１，５０１  伝送路
１０２，３０２，５０２  ＬＡＮ
１１１  電話端末制御部
１１２  電話端末データベース部
１２１  ＤＨＣＰサーバ機能部
１２２  ＩＰアドレスデータベース部
２２１  呼制御部
２２２  ＤＨＣＰクライアント部
２２３  ＩＰアドレス管理部
２２４  記録媒体
５００  ネットワーク
【図１】
2006217094.tif 000003
【図２】
2006217094.tif 000004
【図３】
2006217094.tif 000005
【図４】
2006217094.tif 000006
【図５】
2006217094.tif 000007
【図６】
2006217094.tif 000008
【図７】
2006217094.tif 000009
【図８】
2006217094.tif 000010
【図９】
2006217094.tif 000011
【図１０】
2006217094.tif 000012
【図１１】
2006217094.tif 000013
【図１２】
2006217094.tif 000014
【図１３】
2006217094.tif 000015